(57)【要約】【課題】  各種業界において所定の事業を展開する場合に、将来的な予測をふまえた適切な計画を立案するためのツールや学習用教材等として、各種事象を未来に向かって時系列に整理した年表を提供すること。【解決手段】  原点２を中心として放射状に配置した複数本の区画線３と、前記原点２を中心として同心状に配置された大きさの異なるほぼ相似形の円形、多角形等の複数の外形線４と、隣り合う２本の前記区画線によって挟まれた領域を、将来実施が予定されているイベント、制度、その他の事象をその性質等によって分類したカテゴリー領域として設定し、前記原点から遠ざかる方向に向かって年数を加算して表示した西暦等の年表示を設け、前記将来実施される予定の事象を表す事象表示を該当する前記カテゴリー領域内の前記年表示に応じた位置に設けたこと。【選択図】図１
2007118189.tif 000002
【特許請求の範囲】
【請求項１】
原点を中心として放射状に配置した複数本の区画線と、
前記原点を中心として同心状に配置された大きさの異なるほぼ相似形の円形、多角形等の複数の外形線と、
隣り合う２本の前記区画線によって挟まれた領域を、将来実施が予定または実現されると予想されるイベント、制度、その他の事象をその性質等によって分類したカテゴリー領域として設定し、
前記原点から遠ざかる方向に向かって年数を加算して表示した西暦等の年表示を設け、
前記将来実施される予定の事象を表す事象表示を、該当する前記カテゴリー領域内の前記年表示に応じた位置に設けたことを特徴とする年表。
【発明の詳細な説明】
【技術分野】
【０００１】
本発明は、将来起こりうる事象を項目別に分類し、かつ当該事象が実施される予定若しくは実現されると予測される年順に配置したことを特徴とする年表である。
【背景技術】
【０００２】
従来、表やグラフとして種々の形態のものが知られている。一例としては、参考文献１に記載されたような、パテントマップ等がある。また、製品の分析等を行い評価項目毎の評価値を原点を中心とした多角形状的に表したレーダーチャート等が知られている。
しかし、上記従来例は、何れも現時点の状態を分析して表示したものであり、将来的に起こりうる事象を分析する手法には用いることができないものである。
【特許文献１】特開２００５−３８１９９号公報
【発明の開示】
【発明が解決しようとする課題】
【０００３】
本願発明は、上記課題に鑑み発明されたものであって、各種業界において所定の事業を展開する際の将来的な予測をふまえた適切な事業計画を立案する場合や、学習用教材等としての使用を目的として、各種事象を未来に向かって時系列に整理した年表を提供することを課題とするものである。
【課題を解決するための手段】
【０００４】
本願発明は、上記課題を解決するために下記の構成を有することを特徴とするものである。すなわち、
原点２を中心として放射状に配置した複数本の区画線３と、
前記原点２を中心として同心状に配置された大きさの異なるほぼ相似形の円形、多角形等の複数の外形線４と、
隣り合う２本の前記区画線によって挟まれた領域を、将来実施が予定または実現されると予想されるイベント、制度、その他の事象をその性質等によって分類したカテゴリー領域として設定し、
前記原点から遠ざかる方向に向かって年数を加算して表示した西暦等の年表示を設け、
前記将来実施される予定の事象を表す事象表示を、該当する前記カテゴリー領域内の前記年表示に応じた位置に設けたことを特徴とする年表。
【発明の効果】
【０００５】
本願発明に係る年表は、第１に、各カテゴリー（項目）別に表示された将来予定がされている事象若しくは起こりうると予測される事象を、一覧できるというものである。また、前記事象を原点２を中心として外側に向かって広がるように表した将来に向かう時系列表示とすることにより、各事象を時間の経過と関連づけて確認をすることができるものである。したがって、将来起こりうる事象を、項目として表した横方向（実施例では外形線に沿った円周方向）の繋がりと、原点を中心として外側方向に広がる縦方向への繋がりとして一目で確認することができるという効果を有している。当該年表は、事業展開の立案や修正のためのツール、情報分析のための学習教材等として利用することができるものである。
【発明を実施するための最良の形態】
【０００６】
以下本願発明に係る年表の一実施例の形態を図を用いて説明する。
第１図は、本願発明に係る年表１の外観図であり、約Ａ４サイズの用紙を横向きに使用して、当該用紙の紙面上に各種表示を行っているものである。なお、当該各種表示は、必
ずしも前記約Ａ４サイズの用紙に限るものではなく、大きさの異なる用紙や、コンピュータディスプレイ上で表示されるようにアレンジされたものでも構わない。
【０００７】
年表１の中央には、原点２が設けられており、当該原点を中心として放射状に複数の区画線３（３ａ、３ｂ、３ｃ、３ｄ、３ｅ）が設けられている。本実施の形態においては、白抜きの線として描かれているが、区画線３としての機能を有するものであれば、他の表示形態であっても構わない。
また、前記原点２を中心として大きさの異なる複数本の外形線４（４ａ、４ｂ、４ｃ）が、同心状に設けられている。なお、本実施の形態においては、当該外形線４として楕円形状を使用しているが、真円形状や、真円若しくは楕円に近い五角形、六角形等の多角形状であっても構わない。
【０００８】
また、原点２と外形線４ａとの間の領域５、外形線４ａと外形線４ｂによって囲まれた領域６、外形線４ｂと外形線４ｃによって囲まれた領域７、外形線４ｃの外側の領域８は、その背景色が外側に向かうに従って薄くなるように配色されている。なお、当該背景色は、黒白による濃淡によって表しても構わない。
また、前記各外形線上には、「２０１０」（９ａ）、「２０１５」（９ｂ）、「２０１０」（９ｃ）といった西暦表示９が設けられている。各西暦表示は、外側に向かうにしたがって未来を表すように、一定年数が加算されて表示されている。尚、当該西暦表示は、和暦による年表示であっても構わず、また加算される年数も当該実施例に限らない。
すなわち、前記各外形線で囲まれた領域は、将来的に到来する年の区切りを表しており、各領域内においても内側よりも外側が将来を表すようになっている。また、前記背景色も、直近の将来ほど色が濃く、遠い将来ほど色が薄くなるように配色されている。これは、遠い将来ほど起こりうる事象に変動が生じやすく、不確定要素を多く含むということを感覚的に表そうとしたことによるものである。
なお、前記年の区切りは、図示した３区分に限らず、２区切りであったり１０区切りであっても構わず、適宜最適な数に設定されるものである。
【０００９】
区画線３ａと区画線３ｂによって挟まれる扇型の領域には、当該領域の種類を表す項目表示１０の一例として「Ｓｏｃｉｅｔｙ」（１０ａ）との表示が行われている。また、区画線３ｂと区画線３ｃによって挟まれる扇型の領域には、当該領域の種類を表す項目表示の一例として「Ｅｃｏｌｏｇｙ」（１０ｂ）との表示が行われている。また、区画線３ｃと区画線３ｄによって挟まれる扇型の領域には、当該領域の種類を表す項目表示の一例として「Ｔｅｃｈｎｏｌｏｇｙ」（１０ｃ）との表示が行われている。また、区画線３ｄと区画線３ｅによって挟まれる扇型の領域には、当該領域の種類を表す項目表示の一例として「Ｐｏｌｉｔｉｃｓ」（１０ｄ）との表示が行われている。また、区画線３ｅと区画線３ａによって挟まれる扇型の領域には、当該領域の種類を表す項目表示の一例として「Ｅｃｏｎｏｍｙ」（１０ｅ）との表示が行われている。
前記項目表示１０の内容は、その一例であって当該年表を用いる分野や業界等によって適宜変更されるものである。
【００１０】
次に、前記各項目毎に区画された領域（１０ａ〜１０ｅ）に表示される事象１１について説明する。前述したように、区画線３ａと区画線３ｂによって挟まれた「Ｓｏｃｉｅｔｙ」（社会）との項目表示が行われた扇型の領域には、第１に既に実施が予定されている事象が実施予定年とともに記載されている。
一例としては「’０６年：神戸空港が開港」（１１ａ）、「’０８年：北京五輪」（１１ｂ）、「’１０年：上海万博」（１１ｃ）等の事象が実施予定年が未来に向かうにしたがって原点２から順次遠ざかるように記載されている。当該事象の表示位置は、「２０１０」（９ａ）、「２０１５」（９ｂ）、「２０１０」（９ｃ）等の西暦表示９が設けられた各外形線４の原点２からの距離を基準として、ほぼ原点２からの距離と表示された年と
が比例する位置となっている。これにより、各事象が実施される年を原点２からの距離として感覚的に把握することができるようになっている。
第２に、「Ｓｏｃｉｅｔｙ」（社会）との項目表示が行われた扇型の領域には、統計的な観点から予測される事象として「’０６年：人口ピークに。１億２，７４４万人」（１１ｄ）、「’１１年：３５歳以上のフリーター３５０万人」（１１ｅ）、「’１５年：ニートが１３７万人に」（１１ｆ）等の事象が設けられている。
その他の各「Ｅｃｏｌｏｇｙ」、「Ｔｅｃｈｎｏｌｏｇｙ」、「Ｐｏｌｉｔｉｃｓ」、「Ｅｃｏｎｏｍｙ」との表示が行われた領域にも、当該項目の内容に当てはめて、予め実施等が明確になっている事象、統計的な観点から予測される各種の事象が実施年とともに表示されている。
【００１１】
以上説明した年表１は、次の特徴を有している。第１に、各カテゴリー（項目１０）別に表示された将来予定がされている事象若しくは起こりうると予測される事象を、一覧できるということである。各カテゴリー別に表示された事象は、当該カテゴリー内で単独で起こるものではなく、例えば人口に関する統計と関連して年金に関する制度が創設される等のように、他のカテゴリーに表示された事象同士が互いに関連して起こるものである。このように、需要と供給、原因と結果等のような項目を隔てた互いの関係を横方向（外形線に沿った方向）の繋がりとして一目で把握することができるという特徴を有している。
第２に、当該年表１は、原点２を現在若しくは直近の将来として、将来に起こりうる事象を時間（年）の経過に併せて表示したことを特徴とする。例えば、人口の推移等は年の加算にともなって変動するものであるから、このような年の経過とともに変動する事象を原点２を中心とした半径方向に配置することによって、年の経過とそれに関連する事象を縦方向の繋がりとして一目で把握することができるという特徴を有している。
以上説明したように、本願発明に係る年表１は、将来生じる事象をその事象の項目や性質による観点に基づく横方向の関連と、将来方向に向かう時間の経過に基づく縦方向との関連という形で一目で把握することができるという特徴を有するものである。
なお、前記表示されたすべての事象が、予め他の事象と関連している必要はない。すなわち、全ての事象が予め予測可能ではないことから、少なくとも年表の作成時点で判明している事象を掲載し、当該事象に関連する事項が明確あるいは予測可能となったところで、改めて関連する事象を掲載するようにしてもよいものである。また、他の事象との直接的な関連は無くとも、他の事象を想定する上でのきっかけとなる事象もあり得るので、それらについては記載しても構わない。さらに、本願発明に係る年表を教材として使用する場合には、ある事象に関連するいくつかの事象を記載せずに空欄として設け、学習する者に思考させて穴埋め的に関連する事象を記載させるようにすることができる。以上のように、年表上に記載する全ての事象が、予め他の事象と関連している必要はない。
【００１２】
また、当該年表１の利用方法としては、事業者等が事業展開を計画する場合や新規な事業を計画する場合等に、計画が達成される予定の年において、当該事業を取り巻く環境がどのように推移しているのか等を容易に把握することができるものである。これによって、事業計画の実施を予定する時期が、実社会の要求に対して遅すぎないか、早すぎないか、若しくは内容が適応したものであるか等、その時代に適するか否かの評価を迅速容易にすることができるものであり、かつ素人にもわかりやすいものとなっている。
また、新規の事業を計画する場合、他社が参入していない業種を選択する場合がある。このような場合にも、当該年表１を用いることにより、各項目に沿って新規参入業種の絞り込みの参考にすることができるとともに、適切な実施予定年を想定することができ、新規事業の実施スケジュールを計画するさいの参考にすることができる。
さらに、当該年表１に記載された各事象を、立案された計画が当該各事象とマッチングしているか等の評価項目として使用することができる。このように、当該年表は、立案された計画等のチェックリストとしての機能も有している。
【００１３】
その他、当該年表１は学習用教材としても用いることができる。年表１は、各種事象の分析手法として、将来予測等される事象を各項目に分類するとともに、現在若しくは直近の将来を原点として実施予定年に対応して放射状に配置している。この結果、当該年表１は、各事象間の内容的な関連を横方向の繋がりとして把握することができ、さらに時間との関連を縦方向の繋がりとして表すことが出来るものである。当該年表１は、各事象の内容を、同年代内の他の事象との対比と、時間的な前後に存在する他の事象との対比を同時に考慮させるという思考方法の学習用教材としても利用できるものである。
また、原点２から遠ざかる（将来に向かう）にしたがって、各項目の空白領域が多くなるので、当該項目を埋めるような事象を想定するという思考を行うことによって、事業計画の立案の仕方等を学習することができるという性質も有している。
【００１４】
以上、本願発明の一実施の形態を図１に記載した年表１に基づき説明したが、本願発明は当該実施の形態に限定されるものではなく、各種事業分野に応じて適宜項目を変更しても構わないものである。また、各種事業分野特有の統計的な情報を重点的に記載したりしても構わないものである。
【産業上の利用可能性】
【００１５】
本願発明は、自ら事業計画の立案作成、修正行う場合のツールとして利用する他、他者に対する学習教材、コンサルティング業務等を行う際のツールとして利用可能なものである。
【図面の簡単な説明】
【００１６】
【図１】本願発明に係る年表の説明図である。
【符号の説明】
【００１７】
１  年表
２  原点２
３  区画線３
４  外形線４
５  領域
６  領域
７  領域
８  領域
９  年表示
１０  項目表示
１１  事象表示
【図１】
2007118189.tif 000003